(57)【要約】【課題】手動で動作するので電力使用が必要ではなく、管理及び使用が簡便になるように従来に比し簡単な構造を持ちながらも、傘の布に付いている水滴をより効果的にとり除くことができて、傘で下がる水によって周辺が汚染することを防止することができる傘の水滴除去装置を提供する。【解決手段】傘Ｕの布Ｕ´についている水滴を取り除く傘の水滴除去装置であって、円形の下敷板３０の両側に結合されたひとつがいの支柱７０によって支持され、下方向にテーパーを成す円筒管形態のケース１０と、上記ケース１０上端に設置され、ヒンジ結合によって開閉が自由な覆い６１を具備した仕上げリング６０と、上記ケース１０内部に設置されて傘の布Ｕ´に付いている水滴を引き下ろす方式の水滴除去具４０と、上記ケース１０下端と下敷板３０上端の間に水滴除去具４０を通して傘Ｕから取り除いた水滴を貯水することができるような水受けタンク２０と、を備えることを特徴とする。【選択図】図１
2007003176.tif 000002
【特許請求の範囲】
【請求項１】
傘の布についている水滴を取り除く傘の水滴除去装置であって、
円形の下敷板の両側に結合されたひとつがいの支柱によって支持され、下方向にテーパーを成す円筒管形態のケースと、
上記ケース上端に設置され、ヒンジ結合によって開閉が自由な覆いを具備した仕上げリングと、
上記ケース内部に設置されて傘の布に付いている水滴を引き下ろす方式の水滴除去具と、
上記ケース下端と下敷板上端の間に水滴除去具を通して傘から取り除いた水滴を貯水することができるような水受けタンクと、を備えることを特徴とする傘の水滴除去装置。
【請求項２】
上記の水滴除去具は、第１ないし７の水滴除去刃が固定板に順次に結合されて成り立った複数の水滴除去体が、下方向でテーパーになる八角管形態の結合管内面に放射状（８方向）で設置されてなることを特徴とする請求項１記載の傘の水滴除去装置。
【請求項３】
上記の水受けタンクには、水滴が貯水される管体の下端に管体の内部に繋がる連結管が用意されて、連結管に別途のホースを連結してホースを通して管体の内部に入った水を排出することを特徴とする請求項１記載の傘の水滴除去装置。
【請求項４】
上記の結合管は、内面の各角にひとつがいの結合突起が用意されて結合ホームを形成し、それぞれの結合ホームに別途の結合具が結合されて結合具と結合具の間に水滴除去具の固定板が挿入設置されることを特徴とする請求項１記載の傘の水滴除去装置。
【請求項５】
上記の第１水滴除去刃は、ＨＳ７５のゴムで成り立ちながらその内部に鉄板が挿入されてエッジ部に織物がかぶせられており、
第２水滴除去刃は、ＨＳ８０のゴムで成り立ち、第３水滴除去刃は、ＨＳ７５のゴムで成り立ちながらそのエッジ部に織物がかぶせられており、
第４ないし第７水滴除去刃は、ＨＳ６５のゴムで成り立つことを特徴とする請求項２記載の傘の水滴除去装置。
【請求項６】
上記の結合具は、前面の両側に結合羽が形成されていて、結合羽の後方に挿入段差が形成されられることを特徴とする請求項４記載の傘の水滴除去装置。
【請求項７】
下方向にテーパーを成す円筒管形態のケースと、
上記ケースの内部に設置されて傘の布に付いている水滴を引き下ろす水滴除去具と、
上記ケースの下部に位置して上記水滴除去具を通じて上記傘の布からとり除いた水を集水して、該ケースから分離可能な水受けタンクと、を備える傘の水滴除去装置であって、
上記水滴除去具は、複数の水滴除去刃が固定板に順次に結合されてなる複数の水滴除去体が下方向にテーパーを成す八角管形態の結合管の内面に放射状で設置されて、第１水滴除去刃は、その以下の水滴除去刃より小さく左、右に接した第１水滴除去刃の間にはすき間が発生して、その以下の水滴除去刃は相対的に大きいので左、右に接した水滴除去刃の間にすき間が存在せず、むしろ左及び右の角が一部重畳されていて、上記第１水滴除去刃は同じ高さに位置するが、その以下の水滴除去刃はお互いに交差するように位置して、上記第１水滴除去刃は単独で外被によって被覆されて、その以下の水滴除去刃はいっぺんに他の外被によって被覆されることで、傘が装置内部に進入する時に傘の布が上記外被の間で完全に密着されることを特徴とする傘の水滴除去装置。
【請求項８】
第１水滴除去刃は、硬度がＨＳ５５以上７０以下であり、その以下の水滴除去刃は硬度がＨＳ４５以上６５以下であるゴム材質を使用することを特徴とする請求項７記載の傘の水滴除去装置。
【請求項９】
第２水滴除去刃が、その以下の水滴除去刃より補強機能がよくなるようにリーブが結合されることを特徴とする請求項７及び８記載の水滴除去装置。
【請求項１０】
上記固定板は、
横長空部と、
上記横長空部の両段でそれぞれ垂直に位置されるように連通されて、上記複数の水滴除去刃に形成された両側の羽部が挟まれるサイド長空部と、
上記サイド長空部の間に形成されて上記サイド長空部に比べて相対的に長く穿孔されて上記複数の水滴除去刃に形成された中間突出部が位置する中心長空部と、を備えてなることを特徴とする請求項７ないし９記載の傘の水滴除去装置。
【発明の詳細な説明】
【技術分野】
【０００１】
本発明は、傘の水滴除去装置に関するものであって、もっと詳しく説明すると、手動で動作するので電力使用が必要ではなく、管理及び使用が簡便になるように従来に比し簡単な構造を持ちながらも、傘の布に付いている水滴をより効果的にとり除くことができ、傘から落ちる水によって周辺が汚染することを防止する傘の水滴除去装置に関するものである。
【背景技術】
【０００２】
傘が雨に濡れたまま室内に入る場合、傘の布に付いていた水滴が落ちるので室内の底（床面）を汚なくする。
【０００３】
したがって、出入りが頻繁な公共建物や商店では、建物の入口で傘を集めて別に保管するか、あるいは、ビニール袋を使って濡れた傘を保管するようにした。しかし、傘を別に保管する場合、人員を要するために効率が悪く、また、紛失される恐れがあり、ビニール袋を利用する場合には、ビニール袋がリサイクルが不可能で１回しか使用できないので維持費用がたくさんかかる問題点があり、ごみ処理に難しさがある問題点がある。
【０００４】
このため最近は、傘の布に付いている水滴を直接乾燥する装置や水滴をとり除く装置、例えば熱風乾燥方式の装置が開発されて利用されていたりするが、構造が複雑で高価な装置であり、これら装置の場合たいてい電気を使う製品として電力使用による追加費用が発生するだけではなく、漏水による感電の危険があるので、広く実用化されにくい問題点があった。
【０００５】
また、熱風乾燥方式は完全乾燥するまで数分もかかるので迅速を要する現代人の生活方式とはかなわなくて忌避の対象になることがあり、別途の熱風乾燥手段を要するので、製品単価が必要以上高くなるようになって汎用化されにくい問題点がある。
【発明の開示】
【発明が解決しようとする課題】
【０００６】
本発明の目的は、上記のような問題点を解決するために案出されたこととして、手動で動作するので電力使用が必要ではなく、管理及び使用が簡便になるように従来に比し簡単な構造を持ちながらも、傘の布に付いている水滴をより効果的にとり除くことができて、傘で下がる水によって周辺が汚染することを防止することができる傘の水滴除去装置を提供することを目的とするものであるのである。
【課題を解決するための手段】
【０００７】
本発明は、傘の布に付いている水滴をとり除くことを目的とする傘の水滴除去装置であって、第１の発明（請求項１記載の発明）は、円形の下敷板の両側に結合されたひとつがいの支柱によって支持され、下方向にテーパーを成す円筒管形態のケースと、上記ケース上端に設置され、ヒンジ結合によって開閉が自由な覆いを具備した仕上げリングと、上記ケース内部に設置されて傘の布に付いている水滴を引き下ろす方式の水滴除去具と、上記ケース下端と下敷板上端の間に水滴除去具を通して傘から取り除いた水滴を貯水することができるような水受けタンクと、を備えることを特徴にするものである。
【０００８】
すなわち、上記水滴除去具は上記ケース内に設置されており、該水滴除去具内に傘を通すことにより、傘の布についた水滴を引き落とすことができる。また、上記ケースは上記支柱により上記水受けタンクの上方に位置していることから、上記のように上記水滴除去具内に傘を通すことにより引き落とされた水滴は、該水受けタンク内に落下し、水滴は該水受けタンク内に貯水される。なお、上記覆いは、ヒンジ結合により自由に開閉することができ、このため、この傘の水滴除去装置を使用する時には該覆いを開け、不使用時には該覆いを閉めることができる。
【０００９】
また、第２の発明（請求項２記載の発明）は、第１の発明において、上記の水滴除去具は、第１ないし７の水滴除去刃が固定板に順次に結合されて成り立った複数の水滴除去体が、下方向でテーパーになる八角管形態の結合管内面に放射状（８方向）で設置されてなることを特徴とするものである。
【００１０】
すなわち、少なくとも上記ケースの内面の水平断面の形状は八角形状とされており、該ケースの内面の八角形状の各辺上それぞれに上記水滴除去具が位置しており、このため、このケース内に傘を通した場合には、該水滴除去具は該傘に８方向から接するものとなっている。また、上記水滴除去具には、固定板上に７つの水滴除去刃が取り付けられており、上記ケース内に通された水滴除去刃はこの７つの水滴除去刃のうち、上方に位置する水滴除去刃から順次傘に接するものとなる。
【００１１】
また、第３の発明（請求項３記載の発明）は、第１の発明において、上記の水受けタンクには、水滴が貯水される管体の下端に管体の内部に繋がる連結管が用意されて、連結管に別途のホースを連結してホースを通して管体の内部に入った水を排出することを特徴とするものである。
【００１２】
すなわち、上記水受けタンクには、該水受けタンク内部に連通する連結管が接続されており、また、該連結管にはホースの一端が接続されており、該水受けタンク内に貯水された雨水は、該連結管及びホースを介し、該ホースの他端から外部に排出される。なお、上記連結管は、効率的に雨水の排出をするために、上記水受けタンクの下方、特に底面において連通することが望ましい。
【００１３】
また、第４の発明（請求項４記載の発明）は、第１の発明において、上記の結合管は、内面の各角にひとつがいの結合突起が用意されて結合ホームを形成し、それぞれの結合ホームに別途の結合具が結合されて結合具と結合具の間に水滴除去具の固定板が挿入設置されることを特徴とするものである。
【００１４】
すなわち、上述の通り、結合管は８つの平面が内面の水平断面が八角形状とされてなり、結合管の各角部において一対の結合突起が形成され、該一対の結合突起の間に結合ホームを形成する。そして、上記結合管の８つの角部に形成された８つの上記結合ホームに結合具が結合され、該結合具の間にそれぞれ８つの水滴除去具が挿入されて固定される。
【００１５】
また、第５の発明（請求項５記載の発明）は、第２の発明において、上記の第１水滴除去刃は、ＨＳ７５のゴムで成り立ちながらその内部に鉄板が挿入されてエッジ部に織物がかぶせられており、第２水滴除去刃は、ＨＳ８０のゴムで成り立ち、第３水滴除去刃は、ＨＳ７５のゴムで成り立ちながらそのエッジ部に織物がかぶせられており、第４ないし第７水滴除去刃は、ＨＳ６５のゴムで成り立つことを特徴とするものである。
【００１６】
すなわち、上記水滴除去体を構成する複数の水滴除去刃のうち、最も上方に位置する水滴除去刃である第１水滴除去刃は、鉄板上にＨＳ７５の硬度のゴムをかぶせたものとされ、かつ、エッジ部（端部）には織物がかぶせられている。
【００１７】
また、第６の発明（請求項６記載の発明）は、第４の発明において、上記の結合具は、前面の両側に結合羽が形成されていて、結合羽の後方に挿入段差が形成されられることを特徴とするものである。
【００１８】
すなわち、上記の結合具は、上記結合管の中心方向である前面の端部左右両端に凸状の結合羽が形成されている。上述のように、この結合具は、上記八角形状の結合管内角それぞれに取り付けられてなるものであり、一の角に取り付けられた結合具の上記結合羽は、それぞれ隣接する他の角に取り付けられた結合具の結合羽と対抗するものとされ、これにより挿入段差が形成される。
【００１９】
また、第７の発明（請求項７記載の発明）は、下方向にテーパーを成す円筒管形態のケースと、上記ケースの内部に設置されて傘の布に付いている水滴を引き下ろす水滴除去具と、上記ケースの下部に位置して上記水滴除去具を通じて上記傘の布からとり除いた水を集水して、該ケースから分離可能な水受けタンクと、を備える傘の水滴除去装置であって、上記水滴除去具は、複数の水滴除去刃が固定板に順次に結合されてなる複数の水滴除去体が下方向にテーパーを成す八角管形態の結合管の内面に放射状で設置されて、第１水滴除去刃は、その以下の水滴除去刃より小さく左、右に接した第１水滴除去刃の間にはすき間が発生して、その以下の水滴除去刃は相対的に大きいので左、右に接した水滴除去刃の間にすき間が存在せず、むしろ左及び右の角が一部重畳されていて、上記第１水滴除去刃は同じ高さに位置するが、その以下の水滴除去刃はお互いに交差するように位置して、上記第１水滴除去刃は単独で外被によって被覆されて、その以下の水滴除去刃はいっぺんに他の外被によって被覆されることで、傘が装置内部に進入する時に傘の布が上記外被の間で完全に密着されることを特徴とするものである。
【００２０】
すなわち、本発明は、下敷板と、上記下敷板の両側に結合されたつがいの（一対の）支柱の間に設置され、下方向でテーパーを成す円筒管形態のケースと、上記ケースの上端にヒンジ結合されて上記ケースに対して開平開閉する覆いと、上記ケースの上端に配置されて上記覆いが遮蔽される仕上げリングと、上記ケースの内部に設けられ、上記傘の布に付いている水滴を引き下ろしながらとり除く水滴除去具と、上記下敷板と上記ケースの間に設けられて上記水滴除去具を通じて上記傘からとり除いた水を集水し、上記ケースに対して分離可能な水受けタンクを含むことを特徴とする傘の水滴除去装置によって達成される。
【００２１】
ここで上記水滴除去具は、複数の水滴除去刃が固定板に順次に結合されて成り立った複数の水滴除去体が下方向にテーパーを成す八角管形態の結合管内面に放射状で設置されるのが望ましい。
【００２２】
上記水受けタンクには、水が貯水される管体の下端に上記管体の内部につながる連結管が設けられ、上記連結管には上記管体の内部に漏れた水を外部に排出することができるホースの連結が可能である。
【００２３】
上記結合管には、内面各角に結合ホームが形成されるようにしたつがいの（一対の）結合突起が相互見合わせて配置されていて、上記結合ホームには結合具が結合され、上記結合具と接する他の結合具の間には上記水滴除去具の固定板が挿入設置される。
【００２４】
上記結合具は、全面両側に結合羽を持って、上記結合羽の後方には挿入具が形成される。
【００２５】
上記第１水滴除去刃は、傘の布をよく広げて本発明の傘の水滴除去装置内部に誘導するための機能を担当するので、その以下の水滴除去刃より硬度が高い材質を使うことが望ましくて、必要によっては中心部に鉄板を挿入して補強することもできる。
【００２６】
第１水滴除去刃は、その以下の水滴除去刃より小さく形成されるので、左、右側に接した第１水滴除去の刃とのすき間がその以下の水滴除去刃のすき間より相対的に大きくて、傘が本装置内部に最初進入する時、比較的に干渉現象がより少なめに受ける状態で従動されるようにする。したがって、本発明の水滴除去装置内部への傘の進入が容易くなる。
【００２７】
また、第２ないし第７水滴除去刃は、第１水滴除去刃より大きく形成され、左、右側に接した水滴除去刃とはお互いに違う高さに配置されて角部の一部が重なるように配置されることで、傘が本発明の傘の水滴除去装置内部に進入する時、一部重なった両角部を押しながら進入するようになるので、傘の水滴除去効果が優秀であり、水滴除去刃は硬度が低い伸縮性素材を使ったので両角部の一部が重なった状態でも傘の進入が難しくなくなる。
【００２８】
上記複数の水滴除去刃の中で、一つまたは一つ以上は、相対的に排水及び脱水が容易い軽い布材質の外被が着せられることもできる。
【００２９】
望ましい事には、第１水滴除去刃には、単一被覆のための外被を、第２水滴除去刃からその以下では被覆を共有するための外被を使わなければならない。
【００３０】
なぜなら、第１水滴除去刃はその以下の水滴除去刃に比べて硬度が相対的に高くてサイズも小さいだけでなく、傘の最初の進入を誘導するという点で機能の面でも他の水滴除去刃とは相異なっているので単独で外被を使うことが望ましく、第２水滴除去刃からその以下はサイズ及び硬度が似ていて、一応進入された外被から水滴をとり除く機能をするという点でその機能も一致するので、これらは一体で外被を着せて使うのが望ましい。
【００３１】
上記複数の水滴除去刃の中で最上端に配置された第１水滴除去刃の外被の外面は上記傘が挟まれる方向に沿ってテーパーになることができる。
【００３２】
すなわち、上記第７の発明の構成は、上記第１ないし第６の発明の構成と比較して、第１水滴除去刃がその以下の水滴除去刃、つまり、該第１水滴除去刃よりも下方に位置する一又は複数の水滴除去刃に比べて小さいものとされ、左右に接する他の第１水滴除去刃の間にはすき間が生じるものとされ、また、該第１水滴除去刃よりも下方に位置する一又は複数の水滴除去刃は、それぞれ左右の角部において、左右に接する他の第１水滴除去刃よりも下方に位置する一又は複数の水滴除去刃と一部重なり合うものとされている点で相違する。また、上記第１水滴除去刃は、それぞれが互いに同一の高さとされるとともに、該第１水滴除去刃よりも下方に位置する一又は複数の水滴除去刃は、左右に接する他の第１水滴除去刃よりも下方に位置する一又は複数の水滴除去刃とは、互いに高さが交互になるように配置されている点でも、上記第７の発明の構成は上記第１ないし第６の発明の構成と比較して相違している。更に、上記第１ないし第６の発明の傘の水滴除去装置では、該傘の水滴除去装置内部に進入した傘は、水滴除去刃と直接接触することにより、該傘より水滴が除去される構成とされているのに対し、上記第７の発明の傘の水滴除去装置では、上記水滴除去刃は外被によって被覆されており、傘が該第７の発明の傘の水滴除去装置内部に進入する時には、該傘の布は該外被の間で完全に密着されることを特徴とする点でも相違する。
【００３３】
また、第８の発明（請求項８記載の発明）は、第７の発明において、第１水滴除去刃は、硬度がＨＳ５５以上７０以下であり、その以下の水滴除去刃は硬度がＨＳ４５以上６５以下であるゴム材質を使用することを特徴とするものである。
【００３４】
上記複数の水滴除去刃は、硬度がＨＳ６０またはＨＳ６０以下の比較的に柔らかくなった材質で作られたが、第１水滴除去刃は相対的に硬度が高い材質であるＨＳ６０のゴムで成り立って、第２水滴除去刃から第７水滴除去刃まではそれより柔らかくなった材質であるＨＳ６０以下のゴムで成り立つ。
【００３５】
また、第９の発明（請求項９記載の発明）は、第７及び第８の発明において、第２水滴除去刃が、その以下の水滴除去刃より補強機能がよくなるようにリーブが結合されることを特徴とするものである。
【００３６】
上記複数の水滴除去刃の中で一つまたは一つ以上には該当の水滴除去刃を補強するリーブが設けられるが、上記リーブの強度はお互いに等しいとか相異なっていて、上記リーブの強度が相異なっている場合、上記複数の水滴除去刃の中で上の方に行けば行くほど強度の強いリーブが採用されるのが有利である。
【００３７】
上記リーブは上記複数の水滴除去刃に一体に形成され、或いは、上記固定板と上記水滴除去刃の間に形成されるが、ゴム材質を持つのが望ましい。
【００３８】
また、第１０の発明（請求項１０記載の発明）は、第７ないし第９の発明において、上記固定板は、横長空部と、上記横長空部の両段でそれぞれ垂直に位置されるように連通されて、上記複数の水滴除去刃に形成された両側の羽部が挟まれるサイド長空部と、上記サイド長空部の間に形成されて上記サイド長空部に比べて相対的に長く穿孔されて上記複数の水滴除去刃に形成された中間突出部が位置する中心長空部と、を備えてなることを特徴とするものである。
【発明の効果】
【００３９】
以上説明したところのように本発明によると、手動で動作するので電力使用が必要ではなく、管理及び使用が簡便になるように相対的に簡単な構造を持ちながらも傘の布に付いている水滴をより効果的にとり除くことができて、傘から下がる水によって周辺が汚染することを防止することができる効果がある。
【００４０】
また、水滴除去刃を全体的に硬度が低い材質で構成するが各水滴除去刃の機能を考慮して硬度をそれぞれ異なるように構成して、左右接した水滴除去刃間の間隔を最初進入する第１水滴除去刃では相対的に大きく形成して傘の進入が容易いようにし、第２水滴除去刃からは間隔を狭く構成することで傘が装置内部に容易く進入されるようにして水滴が効果的に除去されるようにする効果がある。
【発明を実施するための最良の形態】
【００４１】
以下では添付図面を参照して本発明の各実施例に対して詳しく説明する。各実施例の説明中、同一構成に対しては同一符号を付与するようにする。
【００４２】
図１は本発明の第１実施例による傘の水滴除去装置の外観を見せた斜視図で、図２は図１に対する要部分解斜視図である。
【００４３】
これらの図面に図示されたところのように、本発明による傘の水滴除去装置は下敷板３０，両側の支柱７０によって支持されるケース１０と、ケース１０の下端に設けられる水受けタンク２０で成り立っている。
【００４４】
下敷板３０は円盤形状を持つ。しかし、ケース１０と水受けタンク２０が円板形状ではなく、三角形状、或いは四角形状の場合、それによって下敷板３０の形状を変更することができる。すなわち、上記ケース１０及び水受けタンク２０は任意の形状とすることができ、上記下敷板３０は、該ケース１０及び水受けタンク２０は、該下敷板３０の形状に合わせて任意の形状としても良い。なお、上記水受けタンク２０の外部には、図１４に示すように、保護のためのカバー２４が形成され、該カバー２４には該水受けタンク２０を操作するための把手２１が固定されている。
【００４５】
ケース１０は、上部直径が大きくて下部直径が小さなテーパーを成す倒立円錐台形形状を持つ。水受けタンク２０は、ケース１０と反対に、上部直径が狭くて下部直径が大きい円錐台形形状で成り立っていて、その内部に空の空間が形成されて水を受ける。
【００４６】
ケース１０の上部には、一側のヒンジによってケース１０に対して回動しながらケース１０の上部開口を開閉する覆い６１が設けられる。覆い６１とケース１０の間には覆い６１を気密するように遮蔽する仕上げリング６０が設けられる。
【００４７】
図２に図示されたところのように、仕上げリング６０の内部には放射状にラウンディング処理された花模様の図示しない貫通孔が形成されている。そして仕上げリング６０の一側前方には内部が空いた突出部６２が形成されている。
【００４８】
一方、ケース１０の内部には、傘Ｕの布Ｕ´に付いている水滴を引き下ろす方式でとり除く水滴除去具４０が設置されている。水滴除去具４０はケース１０より小さな嵩を持つことでケース１０の内部に挿入される。挿入された後、仕上げリング６０が置かれれば水滴除去具４０は大部分遮蔽される。水滴除去具４０は、図３に示すように、水滴除去体４１と結合管４２を備える。これは後で述べる。
【００４９】
図４は図３の平断面図であり、図５は本発明による傘の水滴除去装置の使用状態を示す側面図であり、図６は結合具を示す斜視図であり、図７は本発明による傘の水滴除去装置の使用状態の斜視図である。
【００５０】
図３及び図４に示すように、上記水滴除去具４０は、第１ないし第７水滴除去刃４１２，４１３，４１４，４１５，４１６，４１７，４１８と固定板４１１からなる。上記第１ないし第７水滴除去刃４１２，４１３，４１４，４１５，４１６，４１７，４１８は、固定板４１１に対して上下方向に沿って順次に結合されており、複数の水滴除去体４１が下方向にテーパーを成す八角管形態の結合管４２の内面に放射状（８方向）で設置されている。
【００５１】
上記結合管４２の内面各角部には、つがいの（一対の）結合突起４２ａが形成されていて、これらは、互いに向い合い、その間に結合ホーム４２ｂを形成する。上記結合ホーム４２ｂには、図６に示す結合具５０が挿入される。上記結合具５０は、全面両側に結合羽５１が形成されており、該結合羽５１の後方に挿入具５２が形成されている。したがって、結合ホーム４２ｂには、結合具５０の挿入具５２が挿入され、この挿入により、結合羽５１らが結合突起４２ａ等に沿って円周方向に配列される形状となる。
【００５２】
また、図４に示すように、結合管４２の各角部に結合具５０が結合された状態で、結合具５０の一側の結合羽５１と接する結合具５０の一側の結合羽５１の間に水滴除去体４１、固定板４１１を挿入して水滴除去体４１が結合管４２に設置されることで、水滴除去具４０は成立する。
【００５３】
すなわち、図４に示すように、上記結合管４２の内面の８つの各角部には、それぞれ対向する結合突起４２ａにより結合ホーム４２ｂが形成されており、該結合ホーム４２ｂ内にそれぞれ上記結合具５０の挿入具５２が挿入されることにより、該結合管４２の各角部それぞれには該結合具５０が位置する。そして、上記結合管４２の８つの内面の各角部それぞれに上記結合具５０が位置することにより、該結合具５０それぞれの結合羽５１が互いに対向する空間が形成され、この結合羽５１が対向して形成された８つの空間内に、上記水滴除去体４１を構成する固定板４１１が挿入されることにより、８つの該水滴除去体４１は結合管４２に設置される。なお、上記結合羽５１が対向して形成された空間は、本発明を構成する挿入段差である。
【００５４】
このような水滴除去具４０は、図２に示す結合管４２の上端の結合わく４２ｃがケース１０上端の安着わく１１の上端に載置されて、ねじ結合によってケース１０の内部に固定設置される。
【００５５】
上記のように成り立った本発明で傘Ｕの水滴をとり除く過程に対して説明すると次のようになる。
【００５６】
図７に示すようにケース１０の上端の覆い６１を開放した状態で、傘Ｕの下端部分が下部に向けるように濡れた傘Ｕを垂直で立てて、傘Ｕをケース１０の内部の水滴除去具４０に挿入する。
【００５７】
次に、図５に示すように、傘Ｕを上下に複数回往復させる。そうすると、傘の布Ｕ´を放射状にくるんでいる（すなわち、傘の布Ｕ´に対して全周から当接している）水滴除去体４１を構成する各水滴除去刃４１２，４１３，４１４，４１５，４１６，４１７，４１８（図３参照）が、傘の布Ｕ´と直交する形態で密着して、傘Ｕが上下に往復する過程で傘の布Ｕ´に付いている水滴を引き下ろす方式でとり除く。
【００５８】
傘Ｕが水滴除去具４０に挿入される過程で、傘の布Ｕ´は、水滴除去体４１の最上端の第１水滴除去刃４１２によって８方向に分割されながら挿入される。したがって、各水滴除去刃４１２，４１３，４１４，４１５，４１６，４１７，４１８のエッジ（Ｅｄｇｅ，すなわち、先端部）が傘の布Ｕ´に直交する形態で密着する。このような状態で傘Ｕを上下に往復させるようになると、水滴除去刃４１２，４１３，４１４，４１５，４１６，４１７，４１８のエッジが傘の布Ｕ´の表面に付いている水滴を引き下ろすようになって傘Ｕの水滴はたやすく除去されることができるようになる。
【００５９】
参照に、水滴除去具４０の各水滴除去刃４１２，４１３，４１４，４１５，４１６，４１７，４１８は、水滴除去効果を極大化するために固有の特徴を持つ。すなわち、傘Ｕから水滴を除去する効果は、上記第１ないし第７の水滴除去刃４１２，４１３，４１４，４１５，４１６，４１７，４１８を以下に示すような構成とすることにより、より効率的で効果的なものとなる。
【００６０】
すなわち、本発明に係る傘の水滴除去装置の構成は上述したものであるが、該傘の水滴除去装置の構成を以下に述べるようなものとすることにより、より傘Ｕから効率的で効果的に水滴を除去することができるものとなる。
【００６１】
上端の刃ら、すなわち、上記第１水滴除去刃４１２は、水滴除去具４０で最初挿入される傘Ｕの傘の布Ｕ´を放射状で分割させる支持台としての役目をするのみならず、水滴除去具を抜ける傘の布Ｕ´に付いている水滴を最終的にとり除く手段なので、支持力を補強して吸収力を高める必要がある。
【００６２】
したがって、最上端に配置された第１水滴除去刃４１２は、第２ないし第７水滴除去刃４１３，４１４，４１５，４１６，４１７，４１８の刃より硬度が高い材質を使わなければならないし、必要によっては、補強機能のために内部に鉄板を挿入するとか、その下端にリーブを結合して使わなければならない。
【００６３】
第２水滴除去刃４１３からは、一応傘Ｕが装置内部に従動された状態で、傘Ｕの表面から水をきれいにぬぐってくれる機能が優先なので、水滴除去刃と傘Ｕの密着度を高めてくれるために、第２水滴除去刃の以下の刃は相対的に硬度が低い材質を使わなければならないし、第１水滴除去刃４１２よりは大きいものを使って接した角の部位が一部重なるようにならなければならない。
【００６４】
すなわち、上記第２ないし第７の水滴除去刃４１３，４１４，４１５，４１６，４１７，４１８は、傘Ｕの本発明の傘の水滴除去装置の内部（水滴除去具４０の内部）に挿入につれて従動し、傘表面から水をきれいにぬぐって落下させるためのものであることから、該第２ないし第７の水滴除去刃４１３，４１４，４１５，４１６，４１７，４１８は傘Ｕの密着度を高める必要があるため、上記第１の水滴除去刃４１２と比べ、相対的に硬度が低い材質を使われることが望ましく、また、該第１水滴除去刃４１２よりは大きさが大のものとすることによって、傘Ｕとは一部の部位において重なるようにならなければならない。
【００６５】
上記の過程で傘Ｕの水滴は、水滴除去具４０の下部に落ちながら一部除去され、上部に持ち上げる過程で相当部分除去されるので、これを何回繰り返しさせれば別途の動力が必要ではなく、手作業の簡単な方法で易しく傘の布Ｕ´に付いている水滴をとり除くことができる。
【００６６】
すなわち、上記の傘Ｕを本発明の傘の水滴除去装置の内部（水滴除去具４０の内部）に挿入する過程では、傘Ｕに付着した水滴は、上記水滴除去具４０の下部に落下して一部除去され、また、このように挿入された傘Ｕを上方に持ち上げる過程でも相当部分除去されるので、これを複数回繰り返すことにより、別途の動力を用いる必要が無く、簡易な手作業で容易に傘の布Ｕ´に付いている水滴をとり除くことができる。
【００６７】
一方、水滴除去具４０を通じて傘の布Ｕ´に付いている水滴をとり除くようになったら除去された水は水滴除去具４０の下部に落下して水受けタンク２０に集まるようになり、一定量以上が満ちたらこれを明けるとずっと使うことができる。
【００６８】
すなわち、上記のような水滴除去具４０の作用により傘の布Ｕ´に付着した水滴は、上記の手作業により除去されて、上記水滴除去具４０の下部に落下して水受けタンク２０に集められ、一定量以上溜まる毎に適宜これを廃棄することにより、使用を継続できる。
【００６９】
なお、図１４に示すように、上記水受けタンク２０の底面２２に連結管２３を固定するとともに、該連結管２３にホース２５の一端を連結するものとしても良い。このようにすることで、上記ホース２５の他端を他の箇所に位置させることにより、上記水受けタンク２０内に溜められた水を連続して廃棄することができ、一定間隔毎に水受けタンク２０に溜められた水を廃棄する手間を省くことができる。
【００７０】
なお、上記水滴除去体４１の構成について、以下に詳述する。
【００７１】
図８は、本発明の要部である水滴除去体４１であって、固定板４１１に第１ないし第７の水滴除去刃４１２，４１３，４１４，４１５，４１６，４１７，４１８が結合された状態を図示した分解斜視図であり、図９は、本発明の要部である水滴除去体４１を取り付けた状態を示す側面図であり、図１０は、本発明の要部である水滴除去体４１を取り付けた状態を示す正面図である。
【００７２】
固定板４１１は、水に腐食されない材質であるプラスチックを使うのが望ましいが、ソス（ＳＵＳ、すなわちステンレス鋼）やアルミニウム（ＡＬ、すなわちアルミニウム合金）のような金属材質を使うこともできる。
【００７３】
このような固定板４１１は、横長空部４１１ａと、横長空部４１１ａの両端でそれぞれ垂直されるように連通されるサイド長空部４１１ｂと、サイド長空部４１１ｂの間に形成されてサイド長空部４１１ｂに比べて相対的に長く穿孔される中心長空部４１１ｃを持つ。
【００７４】
すなわち、上記固定板４１１は、図８及び図１０に示すように、横長空部４１１ａと、該横長空部４１１ａの両端それぞれにおいて該横長空部４１１ａと直交して連通するサイド長空部４１１ｂと、該横長空部４１１ａの中心から垂下して形成され、該サイド長空部４１１ｂの全長に比べて、より長く穿孔されてなる中心長空部４１１ｃが形成されている。
【００７５】
横長空部４１１ａは、第１ないし第７水滴除去刃４１２，４１３，４１４，４１５，４１６，４１７，４１８らに形成された後段凸部Ｙの部分が挟まれて支持される部分で、サイド長空部４１１ｂは第１ないし第７水滴除去刃４１２，４１３，４１４，４１５，４１６，４１７，４１８らに形成された両側羽部Ｗが折りたたみながら組み立てされることができるようにする部分である。そして中心長空部４１１ｃは第１ないし第７水滴除去刃４１２，４１３，４１４，４１５，４１６，４１７，４１８らの下部に形成された中間突出部Ｚまたはその下部に結合されるリーブＺ´が位置してその位置が決まる部分に活用される。
【００７６】
すなわち、上記第１ないし第７水滴除去刃４１２，４１３，４１４，４１５，４１６，４１７，４１８それぞれの後端端部（図示するように略二等辺三角形状とされてなる該第１ないし第７水滴除去刃４１２，４１３，４１４，４１５，４１６，４１７，４１８の三辺のうち、上記固定板４１１との当接をする辺の端部）には、後段凸Ｙが形成されており、該後段凸Ｙの部分は、上記横長空部４１１ａ内に挿入されて固定される。また、上記第１ないし第７水滴除去刃４１２，４１３，４１４，４１５，４１６，４１７，４１８それぞれの左右両側辺の端部（上記の後端端部に位置する辺とは異なる二辺の端部）には、下方に折曲されてなる両側羽部Ｗが形成されており、該両側羽部Ｗの部分は、上記サイド長空部４１１ｂ内に挿入されて固定される。更に、上記第１ないし第７水滴除去刃４１２，４１３，４１４，４１５，４１６，４１７，４１８それぞれの下面中心部には中間突出部Ｚが形成されており、該中間突出部Ｚの方にはリーブＺ´が形成されており、該中間突出部Ｚ及びリーブＺ´は、上記中心長空部４１１ｃ内に挿入されて固定される。
【００７７】
図８に図示された第１ないし第７水滴除去刃４１２，４１３，４１４，４１５，４１６，４１７，４１８らを詳しく見ると第２ないし第７水滴除去刃４１３，４１４，４１５，４１６，４１７，４１８らに比べて第１水滴除去刃４１２のサイズが相対的に小さく形成されているが、これは最初に傘Ｕがより易しく挿入されることができるようにする一つの方便である。
【００７８】
すなわち、第１水滴除去刃４１２を、第２ないし第７水滴除去刃４１３，４１４，４１５，４１６，４１７，４１８よりも大きさを小さいものとすることにより、傘Ｕを本発明の傘の水滴除去装置内に挿入する際に、該傘Ｕの先端は力を要する事無く挿入することができ、かつ、傘Ｕを挿入するにつれて徐々に力を要するものとすることができ、このため、傘Ｕの挿入は容易なものとなっている。
【００７９】
第１水滴除去刃４１２は、硬度をＨＳ５５から７０として、第２水滴除去刃に比べて硬度が高いゴム材質を使う。これは、第１水滴除去刃４１２が傘をよく広げて本装置内部に誘導するための機能を担当するので、その以下の第２ないし第７水滴除去刃４１３，４１４，４１５，４１６，４１７，４１８より硬度が高い材質を使うのが望ましいからであり、必要によっては、該第１水滴除去刃４１２の内部の中心部に鉄板を挿入して補強することもできる。
【００８０】
第２ないし第７水滴除去刃４１３，４１４，４１５，４１６，４１７，４１８は、硬度をＨＳ４５から６５として第１水滴除去刃４１２に比べて硬度が低いゴム材質を使う。これは、第２ないし第７水滴除去刃４１３，４１４，４１５，４１６，４１７，４１８が、装置内部に進入された傘から水滴をきれいにとり除く機能を担当するようになるので、第１水滴除去刃４１２より硬度が低い材質を使うのが望ましいからである。
【００８１】
なお、上記水滴除去具４０及び該水滴除去具４０に固定された第１ないし第７水滴除去刃４１２，４１３，４１４，４１５，４１６，４１７，４１８は、上述のような構成や硬度としても良いが、このような構成や硬度に限定されるものではない。すなわち、上記第１水滴除去刃をＨＳ７５のゴムにより作成し、かつ、鉄板を挿入されて端部（エッジ部）には織物がかぶせられてなるものとしても良い。また、この場合には、上記第２水滴除去刃をＨＳ８０、第３水滴除去刃をＨＳ７５、第４ないし第７水滴除去刃をＨＳ６５のゴムからなるものとしても良い。この場合にも、本発明に係る傘の水滴除去装置は傘Ｕからの水滴を除去する効果は良好なものとなる。
【００８２】
このように、第１水滴除去刃４１２とその以下の第２ないし第７の水滴除去刃４１３，４１４，４１５，４１６，４１７，４１８は、サイズと硬度が違い、なによりも機能が相異なっているので、これらを被覆するための外被４１９ａ，４１９ｂも違うように使うのが望ましい。
【００８３】
すなわち、ここまで述べた上記の水滴除去具４０は、本発明の第１ないし第６の発明の傘の水滴除去装置に用いるものであるが、以下に述べる傘の水滴除去装置を構成する水滴除去具４０は、本発明の第７ないし第１０の発明に用いられるものであって、水滴除去具４０を外被４１９ａ，４１９ｂにより被覆されてなる点で特に相違する。
【００８４】
したがって、図９及び図１０と同じように、第１水滴除去刃４１２は、別に外被４１９ａを被覆して、第２ないし７水滴除去刃４１３，４１４，４１５，４１６，４１７，４１８は、いっぺんに（全体に）外被４１９ｂを被覆して使う。
【００８５】
ここで使った外被４１９ａ，４１９ｂは、傘Ｕの布の水滴をぬぐってくれるためのこととして、吸収と排水が早い機能性の布材質を使う。
【００８６】
すなわち、第２ないし７水滴除去刃４１３，４１４，４１５，４１６，４１７，４１８は、これらの全体が単一の（同一の）外被４１９ｂにより被覆されるものであるが、ここでは詳細は省略するが、該外被４１９ｂの内部には該第２ないし７水滴除去刃４１３，４１４，４１５，４１６，４１７，４１８毎にそれぞれ対応する部分に分割されてなるものとしても良い。なお、本発明の傘の水滴除去装置の実施例では、伸縮性に富んだ細かい網目状とされた布体を袋状に成形し、この袋状とされた布体内に上記水滴除去具４０の下方部分を挿入して固定することにより、上記第２ないし７水滴除去刃４１３，４１４，４１５，４１６，４１７，４１８に外被４１９ｂを被覆している。
【００８７】
一方、第２ないし７水滴除去刃４１３，４１４，４１５，４１６，４１７，４１８は、主に水滴除去機能を担当して皆等しい外被４１９ｂによって被覆されるが、傘Ｕが本発明の傘の水滴除去装置の内部に進入する時、引入部側により大きい力が作用するようになるので、第２水滴除去刃４１３，４１３´に補強機能を追加で付与する必要がある。
【００８８】
したがって、図９に示すように、第２水滴除去刃４１３，４１３´の下部中央には、補強機能のためのリーブＺ´を結合して使うことができる。
【００８９】
また、図９及び図１０に示すように、左右に接した水滴除去体４１，４１´で最上端に位した第１の水滴除去刃４１２，４１２´は同じ高さに位置するが、その以下の水滴除去刃４１３，４１４，４１５，４１６，４１７，４１８，４１３´，４１４´，４１５´，４１６´，４１７´，４１８´は、相互交差するようにその間にそれぞれ位置する。すなわち、上記水滴除去体４１に固定された水滴除去刃４１３，４１４，４１５，４１６，４１７，４１８と、水滴除去体４１´に固定された水滴除去刃４１３´，４１４´，４１５´，４１６´，４１７´，４１８´は、それぞれ互いに外被４１９ａ，４１９ｂの高さの半分づつ高さがずれるようにされて配置されている。
【００９０】
図１１は、本発明の傘の水滴除去装置を上から見た平面図であって、図１１（ａ）は、第１水滴除去刃４１２の配列を図示した平面図であり、図１１（ｂ）は、第２水滴除去刃４１３の配列を図示した平面図であり、図１２は、本発明の要部である水滴除去体４１を接したつがいに対して図示した斜視図である。
【００９１】
まず、図１１（ａ）から見ると、第１水滴除去刃４１２，４１２´は、その以下の水滴除去刃（その下方に位置する第２ないし第７の水滴除去刃４１３，４１４，４１５，４１６，４１７，４１８）に比べてサイズが小さいので、左右に接したものなどの間にすき間が幾らか発生する。すなわち、上記第１水滴除去刃４１２，４１２´のサイズは小さいものであることから、左右同士の間には互いに一定の幅の隙間が生じる。
【００９２】
したがって、傘Ｕを本発明の傘の水滴除去装置内部に進入する時、傘の布Ｕ´があまり干渉されなくて上記第１水滴除去刃４１２，４１２´の間に進入することができることであり、傘がひと所に集らなくて８個に分けられて進入することができるのである。
【００９３】
すなわち、本発明の傘の水滴除去装置内に傘Ｕを挿入する際には、傘の布Ｕ´は、上記周囲に設けられた８個の該第１水滴除去刃４１２が互いの隙間により干渉することが無く、容易に挿入することができる。
【００９４】
また、第１水滴除去刃４１２，４１２´は相対的に硬度が高い材質を使うことで、傘Ｕを本発明の傘の水滴除去装置内部に進入する時に加えられる圧力を充分に耐えることができるのである。
【００９５】
すなわち、傘Ｕが本発明の傘の水滴除去装置の内部への挿入時に加えられる圧力を充分に耐えるように、第１水滴除去刃４１２は、下方に位置する第２ないし第７水滴除去刃４１３，４１４，４１５，４１６，４１７に比べて、相対的に硬度が高い材質を使う。
【００９６】
図１１の（ｂ）から見ると、第２ないし第７水滴除去刃４１３，４１４，４１５，４１６，４１７，４１３´，４１４´，４１５´，４１６´，４１７´は、その以下の水滴除去刃に比べて大きくて、接した左右の水滴除去刃の間にすき間がなくて、むしろ左右の角部が一部重畳される。
【００９７】
すなわち、上記第２ないし第７水滴除去刃４１３，４１４，４１５，４１６，４１７，４１３´，４１４´，４１５´，４１６´，４１７´は、上記第１の水滴除去刃４１２よりも大きいものとされており、このため、これら第２ないし第７水滴除去刃４１３，４１４，４１５，４１６，４１７，４１３´，４１４´，４１５´，４１６´，４１７´の間には隙間が無く、むしろ互いに重なり合う構成となっている。
【００９８】
また、前にも図９及び図１０とともに言及したところのように、第２ないし第７水滴除去刃４１３，４１４，４１５，４１６，４１７は、接した水滴除去体４１´の第２ないし第７水滴除去刃４１３´，４１４´，４１５´，４１６´，４１７´とそれぞれ等しい高さに位しなくて交差するように位する。
【００９９】
すなわち、上述したように、また、図９及び図１０に示すように、一の水滴除去体４１は、一の固定板４１１に上記第２ないし第７水滴除去刃４１３，４１４，４１５，４１６，４１７が取り付けられてなるものであるが、水滴除去体４１と隣接する他の水滴除去体４１´の他の固定板４１１´に取り付けられてなる上記第２ないし第７水滴除去刃４１３´，４１４´，４１５´，４１６´，４１７´は、上記第２ないし第７水滴除去刃４１３，４１４，４１５，４１６，４１７とは、配置位置が高さ方向がずれた状態（互いに高さが交互となる状態）とされて固定されている。
【０１００】
図１２は、上記水滴除去刃４１２，４１３，４１４，４１５，４１６，４１７，４１２´，４１３´，４１４´，４１５´，４１６´，４１７´に外被４１９ａ，４１９ｂ，４１９´ａ，４１９´ｂが被覆された状態を図示した斜視図であって、ここでも見ると外被４１９ａが被覆された第１水滴除去刃と外被４１９´ａが被覆された第１水滴除去刃は、左、右に一定の間隔を置いて同一高さに位することを確認することができるとともに、外被４１９ｂが被覆された第２ないし第７水滴除去刃４１３，４１４，４１５，４１６，４１７と外被４１９´ｂが被覆された第２ないし第７水滴除去刃４１３´，４１４´，４１５´，４１６´，４１７´は、一部重畳されるほど間隔なしにお互いに密着されてお互いに交差する高さに位置していることを確認できる。
【０１０１】
上記外被４１９ｂ，４１９ｂ´は、吸収と排水が早い機能性の布材質として伸縮性があるので、上記水滴除去体４１，４１´の接した部位が屈曲を成しながらお互いに触れ合っている状態になる。
【０１０２】
したがって、傘Ｕを本発明の傘の水滴除去装置内部に進入する時、傘の布Ｕ´があまり干渉されなくて上記第１水滴除去刃４１２，４１２´の間に進入することができることであり、傘がひと所に集らなくて８個に分けられて進入することができるのである（図１１ａ参照）。
【０１０３】
すなわち、傘Ｕを本発明の傘の水滴除去装置内に挿入する際には、傘の布Ｕ´は、上記のように力をかけることなく容易に上記第１水滴除去刃４１２，４１２´の間に挿入することができ、傘Ｕには一箇所に集中して外被４１９，４１９´が当接するのではなく、８個に分割された上記外被４１９，４１９´により外周を接しながら挿入することができるのである。
【０１０４】
また、第１水滴除去刃４１２，４１２´は、相対的に硬度が高い材質を使うので、傘Ｕを本発明の傘の水滴除去装置内部に進入する時、加えられる圧力を充分に耐えることができるのである。
【０１０５】
一方、第２ないし第７水滴除去刃４１２，４１３，４１４，４１５，４１６，４１７，４１２´，４１３´，４１４´，４１５´，４１６´，４１７´は、第１水滴除去刃４１２，４１２´より大きく形成されて、左及び右側に接した他の水滴除去刃１２，４１３，４１４，４１５，４１６，４１７，４１２´，４１３´，４１４´，４１５´，４１６´，４１７´とはお互いに交差する高さに配置されて、角部の一部が重なるように配置されることで、傘Ｕが本発明の傘の水滴除去装置内部に進入する時、一部重なった両角部を押しながら進入するようになるので、傘Ｕの水滴除去効果が優秀であり、水滴除去刃は硬度が低い伸縮性素材を使ったので、両角部の一部が重なった状態でも傘Ｕの進入が難しくなく成り立ち、挿入が容易なものとなる（図１１ｂ、図１２参照）。
【０１０６】
すなわち、上記第２ないし第７水滴除去刃４１２，４１３，４１４，４１５，４１６，４１７，４１２´，４１３´，４１４´，４１５´，４１６´，４１７´は、図１１（ｂ）及び図１２に示すように、第１水滴除去刃４１２，４１２´より大きく形成されて、左及び右側に接した他の水滴除去刃１２，４１３，４１４，４１５，４１６，４１７，４１２´，４１３´，４１４´，４１５´，４１６´，４１７´とは外被４１９，４１９´の高さ方向の長さ半分ずつずれるように配置されるとともに、該第２ないし第７水滴除去刃４１２，４１３，４１４，４１５，４１６，４１７，４１２´，４１３´，４１４´，４１５´，４１６´，４１７´の先端端部同士の一部が重なるように配置されることで、傘Ｕが本発明の傘の水滴除去装置内部に進入する時、一部重なった両角部を押しながら進入するようになるので、傘Ｕの水滴は十分に除去され、更に水滴除去刃は硬度が低い伸縮性素材を使ったので、両角部の一部が重なった状態でも傘Ｕの進入が難しくなく、挿入が容易なものとなる。
【０１０７】
参照に第１水滴除去刃４１１は傘Ｕの本発明の傘の水滴除去装置内部への進入を誘導するためのこととして、進入をもっと容易くするために側面角部を上狭下広の台形形態で製作することもできる。
【０１０８】
すなわち、第１水滴除去刃４１１は、下方を上方に比べてより大きい形状（台形状）としても良い。このようにすることにより、傘Ｕを本発明の傘の水滴除去装置の内部に挿入する際には、該傘Ｕは、該装置の中心方向に誘導されるものとなることから、より使用が容易なものとなる。
【０１０９】
図１３は、本発明の傘の水滴除去装置で傘の布Ｕ´が水滴除去体４１，４１´の間に挿入された状態を図示した使用状態図であって、これに示すように、左右が接した第１水滴除去刃４１１，４１１´の間にはすき間があるので、干渉なしに傘の布Ｕ´が挿入することができるが、図示しない第２ないし第７水滴除去刃の間にはすき間がなく、むしろ角が一部重畳されているので、伸縮性のある素材からなる外被４１９ｂ，４１９´ｂは完全に密着された状態となる。
【０１１０】
したがって、傘Ｕが上下方向に往復されることにより、傘の布Ｕ´は、図示するように、上記外被４１９ｂ，４１９´ｂの間で完全密着された状態で往復するため、何回かの動作だけでも傘Ｕの水滴が皆除去されることができるのである。
【０１１１】
なお、本発明の傘の水滴除去装置では、夜間使用時の便宜を図るために、或いは、暗所での使用時の便宜を図るために、図１４に示すように、ケース１０上端の仕上げリング６０の前方に突出部６２を形成し、上記の突出部６２の内部にＬＥＤ（発光ダイオード）６３を設置して夜間にＬＥＤ６３を点灯させることができるようにし、ＬＥＤ６３の点灯のためのスイッチ６５が支柱７０の一側に形成され、更に、該ＬＥＤ６３への電源供給のためのバッテリー６６が下敷板３０の底面に設置され、該ＬＥＤ６３，該スイッチ６５及び該バッテリー６６を連結する電源線６４が支柱７０の内部と仕上げリング６０の内部に連結されている。したがって、上記スイッチ６５の操作を通じていつでもＬＥＤ６３を点灯することができる。なお、ここでは発光手段としてＬＥＤ６３を用いたが、電球等を用いても良い。また、上記水受けタンク２０に図示しない水位センサーを設置することができ、この場合には、該水受けタンク２０内に一定量の水が貯水されたとき、音や光により知らせるものとすることで、本発明の傘の水滴除去装置の管理の便宜性を高めることができる。
【０１１２】
以上、図面を参照して本発明に対して詳しく説明したが、本発明はこれで制限されることではない。
【図面の簡単な説明】
【０１１３】
【図１】本発明の実施例による傘の水滴除去装置の外観を示す斜視図である。
【図２】本発明の実施例による傘の水滴除去装置の要部分解斜視図である。
【図３】本発明の実施例による傘の水滴除去装置の水滴除去具に対する部分分解斜視図である。
【図４】本発明の実施例による傘の水滴除去装置の水滴除去具に対する平断面図である。
【図５】本発明の実施例による傘の水滴除去装置の使用状態を示す側断面図である。
【図６】本発明の実施例による傘の水滴除去装置の結合具を示す斜視図である。
【図７】本発明の実施例による傘の水滴除去装置の使用状態を示す斜視図である。
【図８】本発明の実施例による傘の水滴除去装置の要部である水滴除去体について、固定板に水滴除去刃が結合されている状態を示す分解斜視図である。
【図９】本発明の実施例による傘の水滴除去装置の要部である水滴除去体が接して対抗する状態を示す側面図である。
【図１０】本発明の実施例による傘の水滴除去装置の要部である水滴除去体が接して対抗する状態示す正面図である。
【図１１】本発明の実施例による傘の水滴除去装置を上から見た平面図であって、（ａ）は第１水滴除去刃の配列を図示した平面図、（ｂ）は第２水滴除去刃の配列を図示した平面図である。
【図１２】本発明の実施例による傘の水滴除去装置の要部である水滴除去体を接して対抗する状態を示す斜視図である。
【図１３】本発明の実施例による傘の水滴除去装置の使用状態を示す正面断面図である。
【図１４】本発明の実施例による傘の水滴除去装置の使用状態を示す側面図であるとともに、水受けタンクの構成を示す側断面図である。
【符号の説明】
【０１１４】
１０    ケース
２０    水受けタンク
３０    下敷板
４０，４０´    水滴除去具
４１，４１´    水滴除去体
４１１，４１１´    固定板
４１１ａ    横長空部
４１１ｂ    サイド長空部
４１１ｃ    中心長空部
４１２，４１２´    第１水滴除去刃
４１３，４１３´    第２水滴除去刃
４１４，４１４´    第３水滴除去刃
４１５，４１５´    第４水滴除去刃
４１６，４１６´    第５水滴除去刃
４１７，４１７´    第６水滴除去刃
４１８，４１８´    第７水滴除去刃
４１９ａ，４１９ｂ    外被
４２    結合管
Ａ    傘の水滴除去装置
Ｕ    傘
Ｕ´    傘の布
Ｚ    中間突出部
Ｚ´    リーブ
【図１】
2007003176.tif 000003
【図２】
2007003176.tif 000004
【図３】
2007003176.tif 000005
【図４】
2007003176.tif 000006
【図５】
2007003176.tif 000007
【図６】
2007003176.tif 000008
【図７】
2007003176.tif 000009
【図８】
2007003176.tif 000010
【図９】
2007003176.tif 000011
【図１０】
2007003176.tif 000012
【図１１】
2007003176.tif 000013
【図１２】
2007003176.tif 000014
【図１３】
2007003176.tif 000015
【図１４】
2007003176.tif 000016